(57)【要約】【課題】撮他人に知られたくない情報を容易に保護しつつ、自機で撮影した画像を他人の機器に送信できるようにする。【解決手段】保持手段に、送信手段により画像データを送信する送信先を予め保持し、この保持手段に予め保持された送信先に、第１の属性情報が付加された画像データを送信するための第１のモードと、外部装置からの要求に応じて外部装置と通信を確立し、第２の属性情報が付加された画像データを送信するための第２のモードとを有し、第２のモードが設定された場合に、送信手段は、第１のモードのときに送信されることとなる第１の属性情報よりも少ない第２の属性情報が付加された画像データを送信する。【選択図】図５
2011024097.tif 000002
【特許請求の範囲】
【請求項１】
被写体を撮像し、画像データを得る撮像手段と、
前記画像データを外部装置に送信する送信手段と、を備える撮像装置であって、
前記送信手段により前記画像データを送信する送信先を予め保持する保持手段と、
前記保持手段に予め保持された送信先に、第１の属性情報が付加された前記画像データを送信するための第１のモードと、
外部装置からの要求に応じて前記外部装置と通信を確立し、第２の属性情報が付加された前記画像データを送信するための第２のモードとを有し、
前記第２のモードが設定された場合に、前記送信手段は、前記第１のモードのときに送信されることとなる前記第１の属性情報よりも少ない前記第２の属性情報が付加された前記画像データを送信することを特徴とする撮像装置。
【請求項２】
前記第２のモードが設定された場合に、前記外部装置に送信しても良い前記属性情報の項目が選択されたことに応じて、前記第２の属性情報の内容を設定するための設定手段を、さらに備えたことを特徴とする請求項１記載の撮像装置。
【請求項３】
前記外部装置は、他の撮像装置であることを特徴とする請求項１又は請求項２記載の撮像装置。
【請求項４】
前記設定手段は、著作権情報を前記第２の属性情報として設定可能であることを特徴とする請求項２又は請求項３記載の撮像装置。
【請求項５】
前記第１の属性情報は前記撮像装置の所有者情報を含み、前記第２の属性情報は前記撮像装置の所有者情報を含まないことを特徴とする請求項１乃至請求項４の何れか１項記載の撮像装置。
【請求項６】
前記第２のモードが設定されて、前記送信手段が前記第２の属性情報が付加された前記画像データを前記外部装置に送信した場合に、前記画像データを削除することを特徴とする請求項１乃至請求項５の何れか１項記載の撮像装置。
【請求項７】
前記第２のモードが設定されて、前記送信手段が前記第２の属性情報が付加された前記画像データを前記外部装置に送信した場合には、前記画像データを削除すると共に、
前記第１のモードが設定されて、前記送信手段が前記第１の属性情報が付加された前記画像データを前記外部装置に送信した場合には、前記画像データを削除しないことを特徴とする請求項１乃至請求項５の何れか１項記載の撮像装置。
【請求項８】
被写体を撮像し、画像データを得る撮像ステップと、
前記画像データを外部装置に送信する送信ステップと、を備える撮影処理方法であって、
前記送信ステップにより前記画像データを送信する送信先を予め保持する保持ステップと、
前記保持ステップに予め保持された送信先に、第１の属性情報が付加された前記画像データを送信するための第１のモードを設定するステップと、
外部装置からの要求に応じて前記外部装置と通信を確立し、第２の属性情報が付加された前記画像データを送信するための第２のモードを設定するステップとを有し、
前記第２のモードが設定された場合に、前記送信ステップは、前記第１のモードのときに送信されることとなる前記第１の属性情報よりも少ない前記第２の属性情報が付加された前記画像データを送信するステップと、を有することを特徴とする撮影処理方法。
【請求項９】
被写体を撮像し、画像データを得る撮像ステップと前記画像データを外部装置に送信する送信ステップとを備える撮影処理方法を、制御部に実行させるプログラムにおいて、
前記撮影処理方法は、
前記送信ステップにより前記画像データを送信する送信先を予め保持する保持ステップと、
前記保持ステップに予め保持された送信先に、第１の属性情報が付加された前記画像データを送信するための第１のモードを設定するステップと、
外部装置からの要求に応じて前記外部装置と通信を確立し、第２の属性情報が付加された前記画像データを送信するための第２のモードを設定するステップとを有し、
前記第２のモードが設定された場合に、前記送信ステップは、前記第１のモードのときに送信されることとなる前記第１の属性情報よりも少ない前記第２の属性情報が付加された前記画像データを送信するステップと、を有することを特徴とするプログラム。
【発明の詳細な説明】
【技術分野】
【０００１】
本発明は、撮影した画像データを他の装置に送信する機能を有する撮像装置、撮影処理方法及びプログラムに関する。
【背景技術】
【０００２】
一般に、静止画又は動画の撮影を他人から依頼されるケースは、日常生活で多々遭遇する。例えば、旅行先などに於いては、記念スナップ等の撮影を他人から依頼されるケースがよくある。
【０００３】
その際、依頼された撮影者は、依頼元から撮像装置を手渡され、手渡された撮像装置を使って撮像を行い、そして撮像装置を依頼元に返却すると言った一連の行為が発生する。
【０００４】
ここで撮影者が、他人の撮像装置について不案内であり機能を充分に使いこなせない場合には、適当にシャッターボタンを押すだけになってしまい、依頼元および撮影者の双方にとって満足できる撮影を行えないことがある。
【０００５】
そこで上記の問題点を解決すべく、以下のカメラシステムが知られている。このカメラシステムでは、撮影者が自分のカメラを所有している場合には、依頼元カメラのリクエストに応じて、撮影者は使い慣れた自分のカメラで撮像を行う。そして、撮像された画像データを撮影者所有のカメラから、依頼元が所有するカメラへ送信する（例えば、特許文献１参照）。
【先行技術文献】
【特許文献】
【０００６】
【特許文献１】特開２００７−１７３９９２号公報
【発明の概要】
【発明が解決しようとする課題】
【０００７】
しかしながら、依頼を受けた撮影者が自ら所有する撮像装置で撮像され生成された画像データには、例えば依頼を受けた撮影者の個人情報、撮像装置の機器情報又は撮影ノウハウとなる撮影パラメータ等が含まれる。
【０００８】
このため、例えば依頼を受けた撮影者が自ら所有する撮像装置で撮像された画像データを、そのまま依頼元が所有するカメラへ送信すると、依頼を受けた撮影者の個人情報等が含まれた画像データが、撮影の依頼元へ渡されることになってしまう。
【０００９】
本発明の目的は、他人に知られたくない情報を容易に保護しつつ、自機で撮影した画像を他人の機器に送信できるようにすることにある。
【課題を解決するための手段】
【００１０】
上記目的を達成するために、本発明は、被写体を撮像し、画像データを得る撮像手段と、前記画像データを外部装置に送信する送信手段と、を備える撮像装置であって、前記送信手段により前記画像データを送信する送信先を予め保持する保持手段と、前記保持手段に予め保持された送信先に、第１の属性情報が付加された前記画像データを送信するための第１のモードと、外部装置からの要求に応じて前記外部装置と通信を確立し、第２の属性情報が付加された前記画像データを送信するための第２のモードとを有し、前記第２のモードが設定された場合に、前記送信手段は、前記第１のモードのときに送信されることとなる前記第１の属性情報よりも少ない前記第２の属性情報が付加された前記画像データを送信することを特徴とする。
【発明の効果】
【００１１】
本発明によれば、他人に知られたくない情報を容易に保護しつつ、自機で撮影した画像を他人の機器に送信することが可能となる。
【図面の簡単な説明】
【００１２】
【図１ａ】（ａ）は、本発明の撮像装置の第１実施の形態に係わるデジタルカメラの概略正面図である。（ｂ）は、本発明の撮像装置の第１実施の形態に係わるデジタルカメラの背面外観図である。
【図１ｂ】本発明の撮像装置の第１実施の形態に係わるデジタルカメラの構成ブロックである。
【図２】（ａ）は、本発明の撮像装置の第１実施の形態に係わるデジタルカメラが備えるメタデータ生成の制御テーブルを示す説明図である。（ｂ）は、本第１実施の形態に係わるデジタルカメラで表示するメタデータ設定画面を示す説明図である。
【図３】（ａ）は、本発明の撮像装置の第１実施の形態に係わるデジタルカメラにおいて、全てのメタデータ項目が生成された場合のメタデータを示す説明図である。（ｂ）は、本第１実施の形態に係わるデジタルカメラにおいて、秘匿しなくても良いメタデータ項目が生成された場合のメタデータを示す説明図である。
【図４】本発明の撮像装置の第１実施の形態に係わるデジタルカメラで実行される転送モード生成処理の手順を説明するフローチャートである。
【図５】本発明の撮像装置の第１実施の形態に係わるデジタルカメラで実行される撮影処理の手順を説明するフローチャートである。
【図６】本発明の撮像装置の第２実施の形態に係わるデジタルカメラで実行される撮影処理の手順を説明するフローチャートである。
【発明を実施するための形態】
【００１３】
（第１実施の形態）
以下、図面を参照して本発明の撮像装置における第１実施の形態に係わるデジタルカメラについて説明する。
【００１４】
＜機器の構成＞
本第１実施の形態に係わるデジタルカメラを示す図１（ａ）において、１００はデジタルカメラの本体である。また、図１（ａ）で、６１はシャッターボタン、６０はモードダイヤルスイッチ、４８はフラッシュ、１１１は外部機器と無線通信するためのアンテナ、１１２は外部機器と有線通信するためのコネクタである。
【００１５】
このデジタルカメラ１００の本体の背面側には、図１（ｂ）に示すように、画像表示部２８、電子ファインダ２９及び表示部５４が配置されている。さらに、このデジタルカメラ１００の本体の背面側には、モードダイヤルスイッチ６０、シャッターボタン６１及びスイッチやボタンの類からなる操作部７０が配置されている。
【００１６】
次に、デジタルカメラ１００の制御システムについて、図１（ｃ）を参照して説明する。
【００１７】
このデジタルカメラ１００は、被写体を撮像するための撮像手段を有する。この撮像手段は、撮影レンズ１０、絞り機能を備えるシャッター１２、被写体の光学像を電気信号に変換する撮像素子１４及び撮像素子１４のアナログ信号出力をデジタル信号に変換するＡ／Ｄ変換器１６を備える。
【００１８】
さらに、このデジタルカメラ１００は、撮像素子１４と、Ａ／Ｄ変換器１６と、Ｄ／Ａ変換器２６とにクロック信号や制御信号を供給するタイミング発生回路１８を備える。このタイミング発生回路１８は、メモリ制御回路２２及び制御部としてのシステム制御回路５０によって制御される。
【００１９】
このデジタルカメラ１００の制御システムは、画像処理回路２０を備える。この画像処理回路２０は、Ａ／Ｄ変換器１６からのデータ或いはメモリ制御回路２２からのデータに対して所定の画素補間処理や色変換処理を行う。
【００２０】
また、この画像処理回路２０は、撮像した画像データを用いて所定の演算処理を行う。そして、この画像処理回路２０により得られた演算結果に基づいて、制御部としてのシステム制御回路５０が制御する。この制御部としてのシステム制御回路５０は、ＡＦ（オートフォーカス）処理、ＡＥ（自動露出）処理、ＥＦ（フラッシュプリ発光）処理を実行する。
【００２１】
さらに、画像処理回路２０は、撮像した画像データを用いて所定の演算処理を行い、得られた演算結果に基づいてＴＴＬ方式のＡＷＢ（オートホワイトバランス）処理を行う。
【００２２】
これと共に画像処理回路２０は、制御部としてのシステム制御回路５０に制御されて、画像に所定の色を付けたりモノクロやセピア調への減色処理を施すデジタルフィルタ処理を始めとする各種の画像処理を実行する。
【００２３】
このデジタルカメラ１００の制御システムは、メモリ制御回路２２を備える。このメモリ制御回路２２は、Ａ／Ｄ変換器１６、タイミング発生回路１８、画像処理回路２０、画像表示メモリ２４、Ｄ／Ａ変換器２６、メモリ３０及び圧縮・伸長回路３２を制御する。
【００２４】
このＡ／Ｄ変換器１６のデータは、画像処理回路２０、メモリ制御回路２２を介して又はメモリ制御回路２２だけを介して、画像表示メモリ２４又はメモリ３０に書き込まれる。
【００２５】
また、このデジタルカメラ１００は、ＴＦＴ  ＬＣＤ等から成る画像表示部２８、画像表示メモリ２４及びＤ／Ａ変換器２６を備える。このデジタルカメラ１００では、画像表示メモリ２４に書き込まれた表示用の画像データがＤ／Ａ変換器２６を介して画像表示部２８に入力されることにより画像が表示される。このデジタルカメラ１００では、撮像した画像データを画像表示部２８に逐次表示することにより、電子ファインダ機能を実現する。
【００２６】
また、このデジタルカメラ１００では、予め画像表示メモリ２４に文字やアイコンなどを重ね合わせた画像データを生成させておく。そして、このデジタルカメラ１００は、各種情報表示やデジタルカメラの操作を指南するガイダンス表示等を画像表示部２８に表示させるように構成されている。
【００２７】
また、画像表示部２８は、制御部としてのシステム制御回路５０の制御指令に従って表示のＯＮ／ＯＦＦ動作をする。この画像表示部２８表示を不使用時にＯＦＦにする場合には、デジタルカメラ１００の電力消費を大幅に低減することができる。
【００２８】
このデジタルカメラ１００に設けられた電子ファインダ２９は、ＴＦＴ  ＬＣＤ等で構成された、覗きこんで使用するタイプの電子ファインダである。
【００２９】
この電子ファインダ２９には、画像表示メモリ２４に書き込まれた表示用の画像データがＤ／Ａ変換器２６を介して入力されることにより、表示用の画像が逐次表示される。また、この電子ファインダ２９は、電子ファインダ機能のみならず、画像表示メモリ２４に書き込まれた画像データを表示する機能を備え、画像表示部２８と同等の機能を発揮するように構成されている。
【００３０】
すなわち、このデジタルカメラ１００では、予め画像表示メモリ２４に文字やアイコンなどを重ね合わせた画像データを生成させておく。そして、電子ファインダ２９には、各種情報表示やデジタルカメラの操作を指南するガイダンス表示等を表示させることが可能に構成されている。例えば、この電子ファインダ２９には、合焦表示、手振れ警告表示、フラッシュ充電表示、シャッタースピード表示、絞り値表示、露出補正表示などを表示させることが可能に構成されている。
【００３１】
また、電子ファインダ２９は、制御部としてのシステム制御回路５０の制御指令に従って表示のＯＮ／ＯＦＦ動作をする。この電子ファインダ２９表示を不使用時にＯＦＦにする場合には、デジタルカメラ１００の電力消費を大幅に低減することができる。
【００３２】
このデジタルカメラ１００が備えるメモリ３０は、撮影した静止画像や動画像を格納するためのメモリであり、所定枚数の静止画像や所定時間の動画像を保存するのに十分な記憶量を備えている。このデジタルカメラ１００では、複数枚の静止画像を連続して撮影する連写撮影やパノラマ撮影の場合に、メモリ３０に対して、高速かつ大量の画像書き込みが行われる。
【００３３】
また、このメモリ３０は、画像の付帯情報（第１の属性情報と第２の属性情報）であるメタデータを格納して保存するためにも使用される。なお、このメモリ３０は、システム制御回路５０用の作業領域としても使用することが可能であり、記録媒体２００の書き込みバッファとしても使用される。
【００３４】
このデジタルカメラ１００の制御システムは、適応離散コサイン変換（ＡＤＣＴ）等により画像データを圧縮伸長する圧縮・伸長回路３２を備える。この圧縮・伸長回路３２は、メモリ３０に格納された画像を読み込んで圧縮処理或いは伸長処理を行い、処理を終えたデータをメモリ３０に書き込む処理を実行する。
【００３５】
このデジタルカメラ１００の制御システムは、絞り機能を備えるシャッター１２を制御する露光制御手段４０を備える。さらに、この露光制御手段４０は、フラッシュ４８と連携することによりフラッシュ調光機能を備える。
【００３６】
このデジタルカメラ１００の制御システムは、撮影レンズ１０のフォーカシングを制御する測距制御手段４２及び撮影レンズ１０のズーミングを制御するズーム制御手段４４を備える。さらに、このデジタルカメラ１００の制御システムは、バリアである保護手段１０２の動作を制御するバリア制御手段４６を備える。
【００３７】
このデジタルカメラ１００は、フラッシュ４８を備える。このフラッシュ４８は、ＡＦ補助光の投光機能及びフラッシュ調光機能を備える。
【００３８】
このデジタルカメラ１００では、露光制御手段４０と測距制御手段４２とがＴＴＬ方式を利用して制御されるように構成されている。このＴＴＬ方式を利用した制御では、システム制御回路５０が、撮像した画像データを画像処理回路２０によって演算した演算結果に基づいて露光制御手段４０と測距制御手段４２とを制御する。
【００３９】
このデジタルカメラ１００では、デジタルカメラ１００全体を制御するシステム制御回路５０が、不揮発性メモリ５６に保存されているプログラムを実行することで、後述する各種の処理を実行する。このデジタルカメラ１００は、システム制御回路５０の動作用の定数、変数、不揮発性メモリ５６から読み出したプログラム等を展開するメモリ５２を備える。
【００４０】
この不揮発性メモリ５６は電気的に消去・記録可能な不揮発性メモリであり、例えばＥＥＰＲＯＭ等が用いられる。この不揮発性メモリ５６には、システム制御回路５０の動作用の定数、プログラム等が記憶される。ここでいうプログラムとは、後述する各種フローチャートを実行するためのプログラムである。
【００４１】
このデジタルカメラ１００は、システム制御回路５０でのプログラムの実行に応じて、文字、画像、音声等を用いて動作状態やメッセージ等を表示する液晶表示装置等の表示部５４を備える。この表示部５４は、デジタルカメラ１００の操作部近辺の視認し易い位置に単数或いは複数個所に設置される。この表示部５４は、例えばＬＣＤやＬＥＤといった表示部と、発音素子等が組み合わされて構成されている。この表示部５４の表示内容は、電池残量表示、エラー表示等である。
【００４２】
このデジタルカメラ１００は、記録媒体２００のデータ記録速度や、取得するデータのデータレートを測定するために用いるタイマ５８を備える。
【００４３】
このデジタルカメラ１００は、システム制御回路５０の各種の動作指示を入力するための操作手段としてのモードダイヤルスイッチ６０、６２、６４、及び７０を備える。この操作手段としてのモードダイヤルスイッチ６０、６２、６４及び７０は、スイッチ、ダイアル又はタッチパネル等の単数又は複数を組み合わせて構成されている。
【００４４】
このデジタルカメラ１００の操作手段６０、６２、６４及び７０は、具体的に説明すると、以下のように構成されている。
【００４５】
この操作手段を構成するモードダイヤルスイッチ６０は、電源オフ、自動撮影モード、撮影モード（パノラマ撮影モード、動画撮影モード含む）等の各機能モードを切り替え設定可能な回転式のいわゆるダイアルスイッチで構成する。
【００４６】
この操作手段を構成するシャッタースイッチ６２は、ＳＷ１の状態で、シャッターボタン６１の操作途中でＯＮとなる。このＳＷ１の状態では、ＡＦ（オートフォーカス）処理、ＡＥ（自動露出）処理、ＡＷＢ（オートホワイトバランス）処理、ＥＦ（フラッシュプリ発光）処理等の動作開始を、システム制御回路５０に指示する。
【００４７】
また、シャッタースイッチ６２は、シャッターボタン６１の操作完了時にＳＷ２の状態であるＯＮ状態となる。このＯＮ状態（ＳＷ２の状態）となった場合には、撮像素子１４から読み出した信号を、Ａ／Ｄ変換器１６とメモリ制御回路２２とを介して、メモリ３０に画像データとして書き込む露光処理動作の開始が指示される。これと同時に、このデジタルカメラ１００の制御では、画像処理回路２０やメモリ制御回路２２での演算を用いた現像処理が行われる。この現像処理では、メモリ３０から画像データが読み出され、圧縮・伸長回路３２で圧縮され、再びメモリ３０に書き込まれると共に、メタデータが作成される。
【００４８】
このデジタルカメラ１００は、各種ボタン、スイッチ及びタッチパネル等からなる操作部７０を備える。この操作部７０は、具体的に説明すると、メニューボタン、セットボタン、マクロボタン、再生ボタン、消去ボタン、ファンクションボタン及びフラッシュ設定ボタンを備える。この操作部７０は、単写／連写／セルフタイマー切り替えボタン、メニュー上移動ボタン、メニュー下移動ボタン、メニュー右移動ボタン及びメニュー左移動ボタンを備える。
【００４９】
この操作部７０は、再生画像移動＋（プラス）ボタン、再生画像−（マイナス）ボタン、撮影画質選択ボタン、露出補正＋（プラス）ボタン、露出補正−（マイナス）ボタン、日付／時間設定ボタンを備える。この操作部７０は、各種機能の選択及び切り替えを設定する選択／切り替えボタン、各種機能の決定及び実行を設定する決定ボタンを備える。この操作部７０は、撮影時にズームと広角を調節し又は再生時に拡大／縮小を調節するための、１画面表示／マルチ画面表示を切り替えるズーム操作部を備える。
【００５０】
この操作部７０は、圧縮モードスイッチを備える。この圧縮モードスイッチは、ＪＰＥＧ圧縮の圧縮率を選択し又は撮像素子の信号をそのままデジタル化して記録媒体に記録するＣＣＤＲＡＷモードを選択可能に構成されている（ここで、ＪＰＥＧとは、Ｊｏｉｎｔ  Ｐｈｏｔｏｇｒａｐｈｉｃ  Ｅｘｐｅｒｔ  Ｇｒｏｕｐである）。
【００５１】
この操作部７０は、操作ガイダンスを表示あるいは非表示するためのガイダンスボタン、カメラの各種情報を表示するためのＩｎｆｏボタン、外部機器への画像転送モードの切替を指示するための転送モード切替ボタンを備える。
【００５２】
また、このデジタルカメラ１００は、電源制御手段８０を備える。この電源制御手段８０は、電池の装着の有無、電池の種類、電池残量の検出を行う。そして、この電源制御手段８０は、検出結果及びシステム制御回路５０の指示に基づいて、必要な電圧を必要な期間だけ、記録媒体を含む各部へ供給する。
【００５３】
このデジタルカメラ１００は、コネクタ８２、コネクタ８４を備える。このデジタルカメラ１００は、電源手段８６を備える。この電源手段８６は、アルカリ電池若しくはリチウム電池等の一次電池、ＮｉＣｄ電池若しくはＮｉＭＨ電池若しくはＬｉ電池等の二次電池又はＡＣアダプター等からなる。
【００５４】
このデジタルカメラ１００は、メモリカードやハードディスク等の記録媒体とのインタフェース９０を備える。このため、このデジタルカメラ１００は、メモリカードやハードディスク等の記録媒体と接続を行うコネクタ９２と、コネクタ９２に記録媒体２００が装着されているか否かを検知する記録媒体着脱検知部９８を備える。
【００５５】
このデジタルカメラ１００は、インタフェース９０のコネクタ９２に記録媒体ではなく各種通信カードを接続することにより、他機器との間で画像データや画像データに付属した管理情報を転送し合うことが可能に構成されている。
【００５６】
このデジタルカメラ１００は、レンズ１０を含む撮像部を覆う事により、撮像部の汚れや破損を防止するバリアである保護手段１０２を備える。
【００５７】
このデジタルカメラ１００は、通信手段１１０を備える。この通信手段１１０は、ＵＳＢなどの有線での通信手段として構成してもよいし、無線ＬＡＮなどの無線での手段として構成してもよく、両者を併せ持つように構成してもよい。
【００５８】
このデジタルカメラ１００は、通信手段１１０により他の機器と無線で通信するためのアンテナ１１１と、有線で通信するためにケーブルや機器を接続するためのコネクタ１１２とを備える。
【００５９】
このデジタルカメラ１００は、メモリカードやハードディスク等の記録媒体２００を利用可能に構成されている。この記録媒体２００は、いわゆるメモリカードであり、半導体メモリや磁気ディスク等から構成される記録部２０２と、デジタルカメラ１００とのインタフェース２０４と、デジタルカメラ１００と接続を行うコネクタ２０６とを備えている。
【００６０】
なお、このデジタルカメラ１００では、制御を１つのハードウェアが行うように構成してもよいし、複数のハードウェアが処理を分担することで、装置全体の制御を行うように構成してもよい。
【００６１】
＜転送モード＞
次に、本実施の形態に係わるデジタルカメラ１００における、転送モードについて説明する。このデジタルカメラ１００では、撮影動作に応じてその撮影で得られた画像データを外部装置に送信するように設定されている。このため、このデジタルカメラ１００では、転送モードとして、通常転送モード（第１のモード）と依頼撮影モード（第２のモード）が設定されている。
【００６２】
ここで言う通常転送モード（第１のモード）とは、予めユーザが設定しておいた転送先（送信先）、例えばユーザ自身のＰＣやユーザ用の領域を有するサーバなどに画像データを送信するモードを意味する。なお、予め設定しておいた画像データの転送先を特定するためのアドレス等は、不揮発性メモリ５６、メモリ３０などに保持されるものとする。
【００６３】
これに対し依頼撮影モード（第２のモード）とは、撮影依頼を要求してきた機器と無線で通信し、その通信中に撮影された画像データを通信中の機器に送信するモードを意味する。
【００６４】
なお、転送モードは、この２つに限定されるものでは無く、例えば記録媒体２００に記憶された画像データをユーザが任意のタイミングで選択し、送信を指示する転送モードを設けてもよい。
【００６５】
このデジタルカメラ１００では、これらの転送モードを、メニュー画面などからユーザの操作によって設定可能なように構成されている。このデジタルカメラ１００では、外部接続機器からの通信コマンドによって転送モードの切り換えを行えるように構成しても良い。この転送モードでは、変数をメモリ３０に記憶しておき、画面操作や通信コマンドに従って変数の値を書き換える制御によって行う。
【００６６】
次に、転送モード設定処理について、図４のフローチャートにより説明する。
【００６７】
このデジタルカメラ１００では、ユーザが転送モードを設定する指示操作がなされたとき等に、転送モード設定処理を開始する。転送モード設定処理が開始されると、デジタルカメラ１００では、ステップＳ４０１で、転送モード設定処理の画面制御を行う。この画面制御では、操作者が転送モードを選択指定できるようにするための画面を、例えば、画像表示部２８又は電子ファインダ２９等に表示する。このときデジタルカメラ１００のシステム制御回路５０は、ユーザに操作されたボタンに対応して画面描画をし直すなどの画面制御を行う。
【００６８】
次に、システム制御回路５０は、ステップＳ４０２で設定値を判定する。設定値が通常転送モードである場合にステップＳ４０３へ進み、依頼撮影モードである場合にステップＳ４０４へ進む。
【００６９】
システム制御回路５０は、ユーザが通常転送モードを指定したと判断した場合に、ステップＳ４０３で転送モードを通常転送に設定する。この転送モードとは、メモリ３０に記憶している制御変数名であり、ステップＳ４０３で変数の値に「通常転送モード」（第１のモード）を意味する値を設定する。
【００７０】
次に、システム制御回路５０は、ステップＳ４０５で、予めユーザが設定した転送先であるユーザ自身のＰＣ又はユーザ用の領域を有するサーバ等に対して、画像データ及び通常時のメタデータ等を送信するための通信を確立する。そして、このシステム制御回路５０は、通信を確立した後に、転送モード設定処理を終了する。
【００７１】
また、システム制御回路５０は、ステップＳ４０２でユーザが依頼撮影モードを指定したと判断した場合に、ステップＳ４０４で転送モードを依頼撮影に設定する。この転送モードとは、メモリ３０に記憶している制御変数名であり、ステップＳ４０４で変数の値に「依頼撮影モード」を意味する値を設定する。
【００７２】
次に、このデジタルカメラ１００のシステム制御回路５０は、撮影依頼主のカメラ等で発信された撮影依頼要求を受信するまで待機する（ステップＳ４０６でＮＯ）。そして、このデジタルカメラ１００のシステム制御回路５０は、撮影依頼主のカメラ等で発信された撮影依頼要求を受信したことを検知すると、（ステップＳ４０６でＹＥＳ）次のステップＳ４０７へ進む。次のステップＳ４０７では、このデジタルカメラ１００のシステム制御回路５０が、撮影依頼主のカメラ等に対して、画像データ及び依頼撮影時のメタデータ（第２の属性情報）等を送信するための通信を確立する。そして、このシステム制御回路５０は、通信を確立した後に、転送モード設定処理を終了する。
【００７３】
＜メタデータ＞
次に、本実施の形態に係わるデジタルカメラ１００において設定された転送モードに対応して生成し画像データに付加して送信するための、通常時のメタデータと、依頼撮影時のメタデータとについて説明する。
【００７４】
このデジタルカメラ１００では、設定された転送モードに対応して、異なるメタデータを画像データに付加して転送するので、転送モードとメタデータとの関係に対応して説明する。
【００７５】
このデジタルカメラ１００は、転送モードに対応した異なるメタデータを生成するための属性情報の設定手段を構成するために、図２（ａ）に示すメタデータ生成の制御テーブルを備える。
【００７６】
このメタデータ生成制御テーブルは、所定の転送モードに対応して、生成すべきメタデータを定義している。この図２（ａ）に示すメタデータ生成制御テーブルは、縦列にメタデータの項目、横列に制御ビット１と制御ビット２を配置した構成とする。この制御ビット１は、通常転送モード（第１のモード）でメタデータ（第１の属性情報）を生成するか否かを示す列である。この制御ビット２は、依頼撮影モード（第２のモード）でメタデータ（第２の属性情報）を生成するかを示す列である。
【００７７】
このメタデータ生成制御テーブルでは、縦横の交点の値が１の場合にその項目のメタデータを作成し、０である場合にその項目のメタデータを作成しないという設定とされている。例えば、メーカ名のメタデータは、制御ビット１との交点の値が１であるので通常転送モードのときに生成する。しかし、メーカ名のメタデータは、制御ビット２との交点の値が０であるので、依頼撮影モードのときに生成しない。
【００７８】
このデジタルカメラ１００では、メタデータ生成の制御テーブルをメモリ３０に記憶し、メタデータを生成する際に参照する。
【００７９】
次に、このデジタルカメラ１００において、ユーザが画面を操作指示して生成されるメタデータの項目を選択することにより、制御テーブルの制御ビットの値を変更して設定するための手段について、図２（ｂ）により説明する。
【００８０】
このデジタルカメラ１００では、ユーザにメタデータを生成する項目を選択させて設定するために、図２（ｂ）に示すメタデータ設定画面を利用する。
【００８１】
この図２（ｂ）に示すメタデータ設定画面は、デジタルカメラ１００のユーザがメタデータを生成するか否かを選択する指示をすることが可能なように構成されている。このメタデータ設定画面は、ユーザのメニュー操作等に応じて表示される。
【００８２】
この図２（ｂ）に示すメタデータ設定画面では、通常転送モードと依頼撮影モードとのそれぞれのモードにおいて、メタデータを項目毎に生成するか否かを設定できるように構成されている。
【００８３】
この図２（ｂ）に示すメタデータ設定画面では、縦列にメタデータの項目、横列に転送モードの種類である通常転送モードと依頼撮影モードとを配置し、その交点にチェックマーク又は空白の何れかを表示する枠を設けて構成する。このメタデータ設定画面でチェックマークを付した項目は、メタデータを生成することを意味する。さらに、このメタデータ設定画面で空白の項目は、メタデータを生成しないことを意味する。
【００８４】
また、図２（ｂ）に示した黒い三角マークは、カーソルである。このカーソルは、メタデータの項目を示す２本の縦列の枠における何れか一つの枠の左側に表示するように設定されている。
【００８５】
このように構成したメタデータ設定画面を利用してメタデータの内容を設定する場合には、ユーザが、メニュー移動ボタンを使用して、所望のメタデータと所望の転送モードの交点にカーソルを合わせて決定ボタンを押す。するとカーソルの右の表示マークが、空白あるいはチェックマークの何れかの表示状態に変化する。このような操作を順次繰り返すことにより、ユーザは、メタデータの各項目を所望の表示状態に切り換える設定作業を行う。
【００８６】
このようにしてメタデータ設定画面を利用してユーザにより設定された入力値は、前述した図２（ａ）に示すメタデータ生成制御テーブルに反映される。
【００８７】
これにより、ユーザは、例えばカメラの個体番号やカメラの所有者名等の個人情報（所有者情報）の項目や他人に知られたくない情報項目に係わるメタデータを、デジタルカメラ１００から依頼元の機器に送信しないように設定できる。
【００８８】
このデジタルカメラ１００のシステム制御回路５０は、撮影の際に、メタデータ生成制御テーブルを参照して、図３（ａ）（ｂ）に例示するようなメタデータを生成し、メモリ３０に格納する。この生成されたメタデータは、項目毎にＩＤが割り当てられている。そして、画像に付帯されるメタデータは、ＩＤと値とのペアにされてメモリ３０に格納される。
【００８９】
ここで、図３（ａ）に例示したメタデータでは、１から１１のＩＤに対応する１１個のメタデータ項目が生成されメモリ３０に格納されている。同様に図３（ｂ）に例示したメタデータでは、７から１１のＩＤに対応する５個のメタデータ項目が生成されメモリ３０に格納されている。
【００９０】
また、このデジタルカメラ１００では、メタデータの項目に対するＩＤが、次のように割り当てられている。
【００９１】
メーカー名＝１、カメラ機種名＝２、カメラ個体番号＝３、カメラ所有者名＝４、著作権情報＝５、コメント＝６、露出モード＝７、Ｔｖ／Ａｖ／露出補正＝８、ホワイトバランス＝９、コントラスト／彩度＝１０、シャープネス＝１１。
【００９２】
上述のＩＤには、ペアを成すようにメタデータの値が設定され、メモリ３０に格納される。このメタデータの値は、メタデータの各項目に対応して、文字列や数値で設定される。
【００９３】
ここで図３（ａ）は、図２の制御ビット１に設定された値に従って生成したメタデータである。すなわち、図３（ａ）は通常転送モードに於いて生成したメタデータである。一方図３（ｂ）は、図２の制御ビット２に設定された値に従って生成したメタデータである。すなわち、図３（ｂ）は、依頼撮影モードに於いて生成されたメタデータである。
【００９４】
＜撮影処理＞
次に、本実施の形態に係わるデジタルカメラ１００で撮影する際の撮影処理について、図５のフローチャートを参照しながら説明する。
【００９５】
このデジタルカメラ１００のシステム制御回路５０が制御して実行される撮影処理は、ユーザによりシャッタースイッチＳＷ２（６４）が押下されたことによりスタートする。
【００９６】
撮影処理がスタートすると、システム制御回路５０は、ステップＳ５０１で画像生成処理を実行する。この画像生成処理では、システム制御回路５０が、撮像素子１４から読み出した信号をＡ／Ｄ変換器１６で変換し、メモリ制御回路２２で制御してメモリ３０に画像データを書き込む露光処理の開始を指示する。これと共に、システム制御回路５０は、画像処理回路２０やメモリ制御回路２２での演算を用いた現像処理を実行し、メモリ３０から画像データを読み出し、圧縮・伸長回路３２で圧縮を行い、再びメモリ３０に書き込むよう制御する。
【００９７】
次に、システム制御回路５０は、ステップＳ５０２へ進み、転送モードを判定する。そして、システム制御回路５０は、転送モードの値が「通常転送モード」であると判定した場合に、ステップＳ５０３へ進み、「依頼撮影モード」であると判定した場合にステップＳ５０５へ進む。なお、転送モードの値とは、メモリ３０内に格納された制御変数である。転送モードの設定に関しては前述した図４で説明した通りである。
【００９８】
システム制御回路５０が「通常転送モード」であると判定したステップＳ５０３の場合には、通常のメタデータを生成する。この通常のメタデータとは、通常転送モードに設定されている状態で撮影した画像に付加するためのメタデータである。
【００９９】
具体的には、システム制御回路５０が図２（ａ）に記したメタデータ生成テーブルの制御ビット１の値を参照し、値が１であるメタデータ項目についてのみメタデータを作成するよう制御する。
【０１００】
この図２（ａ）に例示するメタデータ生成テーブルでは、全てのメタデータ項目に対して、制御ビット１が１となっているので、システム制御回路５０が、全てのメタデータを作成する制御を行うことになる。このメタデータの作成処理にて生成されるメタデータは、図３（ａ）に例示する如くなる。
【０１０１】
このデジタルカメラ１００では、メタデータ項目のうち、メーカー名・カメラ機種名・カメラ個体番号に関する値が、予めカメラ製造時にメモリ５２又は不揮発性メモリ５６に記録されている。よって、システム制御回路５０は、メモリ５２又は不揮発性メモリ５６から、カメラのメーカーにて記録されたメーカー名・カメラ機種名・カメラ個体番号に関する値を読み出してメタデータに設定する。
【０１０２】
このデジタルカメラ１００では、メタデータ項目のうち、カメラ所有者名・著作権情報・コメントに関する値が、予めデジタルカメラの利用者によって、メモリ５２又は不揮発性メモリ５６に記録されている。よって、システム制御回路５０は、メモリ５２又は不揮発性メモリ５６からカメラ所有者名・著作権情報・コメントに関する値を読み出してメタデータに設定する。
【０１０３】
また、メタデータ項目のうち、露出モード・Ｔｖ／Ａｖ／露出補正・ホワイトバランス・コントラスト／彩度・シャープネスは、撮影者が撮影時にデジタルカメラ１００に対して値を設定するものである。この撮影者が設定した露出モード・Ｔｖ／Ａｖ／露出補正・ホワイトバランス・コントラスト／彩度・シャープネスの値は、メモリ３０に一時的に記録される。よって、システム制御回路５０は、メモリ３０に一時的に記録されている露出モード・Ｔｖ／Ａｖ／露出補正・ホワイトバランス・コントラスト／彩度・シャープネスの値を読み出してメタデータに設定する。このステップＳ５０３で生成されたメタデータと画像データ及びその他の情報等は、一体化され所定の汎用的なデータ形式に整形されて画像ファイルとされる。
【０１０４】
このデジタルカメラ１００のシステム制御回路５０は、この画像ファイルを、予め保持している通常モードにおける転送先に送信する送信処理を実行する（ステップＳ５０４）。通常モードにおける転送先は、例えば撮影者自身が管理しているサーバや自身のメールアドレスに代表される転送先などであり、通常、後述する依頼先とは異なる転送先となる。
【０１０５】
また、システム制御回路５０は、ステップＳ５０２で、「依頼撮影モード」であると判定した場合にステップＳ５０５へ進んで、依頼撮影用のメタデータの生成処理を実行する。この依頼撮影用のメタデータとは、依頼撮影モードに設定されている状態で撮影した画像に付加するためのメタデータである。具体的には、システム制御回路５０が、図２（ａ）に示したメタデータ生成テーブルにおける制御ビット２の値を参照し、値が１であるメタデータ項目についてのみメタデータを作成する制御を実行する。
【０１０６】
この図２（ａ）に示すメタデータ生成テーブルでは、露出モード・Ｔｖ／Ａｖ／露出補正・ホワイトバランス・コントラスト／彩度・シャープネスの５項目のメタデータ項目に対して、制御ビット２が１となっている。このため、システム制御回路５０は、これら５項目のメタデータの作成処理を実行することになる。
【０１０７】
このメタデータの作成処理で生成されるメタデータは、図３（ｂ）に例示する如きものである。このメタデータの作成方法は、前述したステップＳ５０３で説明したのと同様で、メモリ３０やメモリ５２や不揮発性メモリ５６（保持手段）に記録された値を読み出して作成される。
【０１０８】
このステップＳ５０５で生成されたメタデータと画像データ及びその他の情報等は、一体化され所定の汎用的なデータ形式に整形されて画像ファイルとされる。
【０１０９】
このデジタルカメラ１００のシステム制御回路５０は、この画像ファイルを、撮影の依頼元に送信する送信処理を実行する（ステップＳ５０６）。この撮影の依頼元とは、撮影者に撮影を依頼した依頼者が管理しているサーバや依頼者のメールアドレスに代表される転送先を意味している。
【０１１０】
ここで撮影者には、一般的に見てメタデータのうち、撮影者の個人情報（所有者情報）、撮影者が使用中のカメラの情報及び撮影ノウハウに関するメタデータを秘匿しておきたい要望がある。そこで、このデジタルカメラ１００では、撮影者が秘匿しておきたい項目が除外されたメタデータを依頼者側へ送信する。
【０１１１】
また、この依頼元への送信処理で、送信するとは、通信手段１１０からアンテナ１１１又はコネクタ１１２を介して外部機器にデータを届けることであり、ここでは画像ファイルを外部機器に届けることを意味する。
【０１１２】
次に、システム制御回路５０は、前述した通常転送先又は依頼元の転送先に対する画像ファイルの送信処理を完了した後、ステップＳ５０７へ進んで画像の消去処理を実行する。すなわち、システム制御回路５０は、ステップＳ５０１で生成した画像データをメモリ３０から開放するよう制御する。
【０１１３】
次に、システム制御回路５０は、ステップＳ５０８でメタデータの消去処理を実行する。すなわち、システム制御回路５０は、ステップＳ５０３又はステップＳ５０５で生成したメタデータをメモリ３０から開放するよう制御し、撮影処理を終了する。
【０１１４】
以上説明したように、本第１実施の形態に係わるデジタルカメラでは、通常転送モードに加えて、依頼撮影モードを設け、依頼撮影モードに於いては依頼撮影モード用のメタデータを生成する構成にした。さらに、撮影の依頼者に送信する画像ファイルに対して、撮影者の個人情報（所有者情報）、撮像装置の機器情報又は撮影ノウハウとなる撮影パラメータなどの添付したくないメタデータを生成せずに依頼元に送信する構成にした。
【０１１５】
なお、デジタルカメラ１００では、その製造時に、依頼元の機器に送信しないメタデータを予め設定しておいてもよい。例えば、このデジタルカメラ１００におけるカメラの所有者名、著作権情報等は、ユーザが特に設定しなくとも依頼元の機器に送信しないメタデータとして予め設定しておくように構成してもよい。
【０１１６】
このように構成した場合には、依頼撮影モードで送信される画像データに付加されるメタデータを、通常転送モードにおいて送信される画像データに付加されるメタデータに比べて制限することが可能となる。
【０１１７】
よって、このデジタルカメラ１００によれば、撮影の依頼者に画像ファイルを送信する場合に撮影者の個人情報等が撮影の依頼者側へ渡らないようにすることができる。
【０１１８】
さらに、このデジタルカメラ１００では、メタデータの各々の項目に対して、生成するかしないかをユーザが指定できる構成にしたので、送信するメタデータを柔軟にコントロールすることが可能となる。
【０１１９】
（第２実施の形態）
次に、本発明の撮像装置における第２実施の形態に係わるデジタルカメラについて説明する。
【０１２０】
本第２実施の形態に係わるデジタルカメラは、前述した第１実施の形態に係わるデジタルカメラにおける撮影処理の内容を変更したものであるので、その相異点について説明する。なお、本第２実施の形態は前述した第１実施の形態と共通する部分が多い。したがって、共通の部分に関してはその詳細な説明を省略し、本第２実施の形態に特有の部分を中心に説明する。
【０１２１】
本第２実施の形態に係わるデジタルカメラ１００で撮影する際の撮影処理について、図６のフローチャートを参照しながら説明する。
【０１２２】
本第２実施の形態に係わるデジタルカメラ１００のシステム制御回路５０が制御して実行する撮影処理は、ユーザがシャッタースイッチＳＷ２（６４）を押下したことによりスタートする。
【０１２３】
ユーザがシャッタースイッチＳＷ２（６４）を押下して撮影処理がスタートすると、システム制御回路５０は、ステップＳ６０１で画像生成処理を実行する。ここでの処理は図５のＳ５０１と同様であるため、説明を省略する。
【０１２４】
次に、システム制御回路５０は、ステップＳ６０２へ進み、全メタデータを生成する。全メタデータとは、デジタルカメラ１００が生成可能な全てのメタデータ項目である。各メタデータの生成方法は図５のステップＳ５０３、Ｓ５０４と同様であるから、ここでは説明を省略する。
【０１２５】
次に、システム制御回路５０は、ステップＳ６０３へ進み、転送モードを判定する。そして、システム制御回路５０は、転送モードの値が「通常転送モード」であると判定した場合に、ステップＳ６０４へ進み、「依頼撮影モード」であると判定した場合にステップＳ６０６へ進む。なお、転送モードの値とは、メモリ３０内に格納された制御変数である。転送モードの設定に関しては前述した図４で説明した通りである。
【０１２６】
システム制御回路５０が「通常転送モード」であると判定したステップＳ６０４の場合には、通常のメタデータを編集する。この通常のメタデータとは、通常転送モードに設定されている状態で撮影した画像に付加するためのメタデータである。
【０１２７】
具体的に説明すると、システム制御回路５０は、図２（ａ）に記したメタデータ生成テーブルの制御ビット１の値を参照し、値が０であるメタデータ項目を選別する。そして、システム制御回路５０は、値が０であるメタデータ項目だけを、ステップＳ６０２で生成した全メタデータから削除する。
【０１２８】
この図２（ａ）に例示するメタデータ生成テーブルでは、全てのメタデータ項目に対して、制御ビット１が１となっているので削除するメタデータ項目が一つもない。よって、システム制御回路５０は、全てのメタデータを作成する制御を行う。このメタデータの編集作成処理にて作成されるメタデータは、図３（ａ）に例示する如くなる。このステップＳ６０４で編集された通常のメタデータは、画像データ及びその他の情報等と一体化され所定の汎用的なデータ形式に整形されて画像ファイルとされる。
【０１２９】
また、システム制御回路５０は、ステップＳ６０３で、「依頼撮影モード」であると判定した場合にステップＳ６０６へ進んで、依頼撮影用のメタデータの編集処理を実行する。この依頼撮影用のメタデータとは、依頼撮影モードに設定されている状態で撮影した画像に付加するためのメタデータである。具体的には、システム制御回路５０が、図２（ａ）に示したメタデータ生成テーブルにおける制御ビット２の値を参照し、値が０であるメタデータ項目を選択する。システム制御回路５０は、この制御ビット２の値が０であるメタデータ項目を、ステップＳ６０２で生成した全メタデータから削除する処理を実行する。
【０１３０】
この図２（ａ）では、メーカー名・カメラ機種名・カメラ個体番号・カメラ所有者名・著作権情報・コメントの６項目のメタデータ項目において、制御ビット２が０となっている。このため、これら５項目のメタデータは、編集処理により削除される。この編集処理によって編集されたメタデータは、図３（ｂ）に例示する如くなる。
【０１３１】
このステップＳ６０６で編集されたメタデータと画像データ及びその他の情報等は、一体化され所定の汎用的なデータ形式に整形されて画像ファイルとされる。
【０１３２】
以降のステップＳ６０６、Ｓ６０７〜Ｓ６０９は、それぞれ図５のステップＳ５０４、Ｓ５０６〜Ｓ５０８と同様の処理となるため、説明を省略する。
【０１３３】
以上説明したように、本第２実施の形態に係わる依頼撮影モードに於いては、依頼者に送信する画像ファイルに対して、撮影者の個人情報、撮像装置の機器情報、あるいは撮影ノウハウとなる撮影パラメータ等の添付したくないメタデータを削除する編集処理をする。この編集処理により、添付しても良いメタデータだけが依頼元に送信される構成にしたので、情報漏洩の危惧をなくすことができる。
【０１３４】
なお、このデジタルカメラ１００では、通常転送モードでステップＳ６０８、ステップＳ６０９における削除処理を行い、依頼撮影モードでステップＳ６０８、ステップＳ６０９における削除処理を行わないように構成してもよい。
【０１３５】
このように構成した場合には、通常転送モードにおいて、デジタルカメラ１００を所有するユーザ自身のために撮影した画像データが記録媒体２００に記憶されることになる。また、このように構成した場合には、他人のために撮影した画像データが削除されることになるため、他人の画像データで記録媒体２００の残り容量が減少することを防止することができる。
【０１３６】
なお、上述した本第２実施の形態のデジタルカメラにおける以上説明した以外の構成、作用、効果は、前述した第１実施の形態のデジタルカメラと同様であるので、その説明を省略する。
【０１３７】
＜他の構成例＞
前述した各実施の形態は、本発明の一つの実施の形態を例示するものにすぎず、本発明の要旨を逸脱しない範囲で、各実施の形態を適宜組み合わせて構成してもよいことは勿論である。
【０１３８】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１ａ】
2011024097.tif 000003
【図１ｂ】
2011024097.tif 000004
【図２】
2011024097.tif 000005
【図３】
2011024097.tif 000006
【図４】
2011024097.tif 000007
【図５】
2011024097.tif 000008
【図６】
2011024097.tif 000009